(57)【要約】本発明は、物品を展示および保管するためのモジュール式のファーニチャーシステムに関し、商店、自宅、あるいは企業、例えば工業用保管所において組み立てられることに特に適している。具体的には、（ａ）少なくとも１つのトラックを有する第１パネルと、前記トラックは、前記第１パネルの表面にあり、かつ、前記パネルの全長にわたっており、（ｂ）前記トラックの長手方向に沿ってスライドするように適合された展示あるいは保管手段と、（ｃ）前記トラックに沿った所望の位置で、前記展示あるいは保管手段を固定するための締結手段と、を有するモジュール式のファーニチャーシステムに関する。
2017506567.tif 000002
【特許請求の範囲】
【請求項１】
モジュール式のファーニチャーシステムであって、
（ａ）少なくとも１つのトラックを有する第１パネルと、前記トラックは、前記第１パネルの表面にあり、かつ、前記パネルの全長にわたっており、
（ｂ）前記トラックの長手方向に沿ってスライドするように適合された展示あるいは保管手段と、
（ｃ）前記トラックに沿った所望の位置で、前記展示あるいは保管手段を固定するための締結手段と、
を有するファーニチャーシステム。
【請求項２】
（ａ）前記第１パネルに対向している第２パネルをさらに有し、
（ｂ）前記第２パネルは、前記第１パネルの前記トラックに対向する面に、少なくとも１つのトラックを有し、当該トラックは、前記パネルの全長にわたっており、
（ｃ）前記展示あるいは保管手段は、前記第１および第２パネルの間を延長している請求項１に記載のファーニチャーシステム。
【請求項３】
前記第１および第２パネルは、互いに対向する面に複数のトラックをさらに有し、前記複数のトラックの各々は、少なくとも１つの展示あるいは保管手段を収容するように適合されており、
前記展示あるいは保管手段は、前記トラックの長手方向に沿ってスライドするように適合されている請求項１又は請求項２に記載のファーニチャーシステム。
【請求項４】
前記第１および第２パネルの各々は、３つのトラックを有し、
前記第１パネルの前記トラックの位置は、対向する前記第２パネルの前記トラックの位置と対応している請求項１〜３のいずれか１項に記載のファーニチャーシステム。
【請求項５】
前記トラックの１つは、前記パネルの中央部に位置決めされ、
前記トラックの１つは、前記パネルの前縁部に近接して位置決めされ、
前記トラックの１つは、前記パネルの後縁部に近接して位置決めされている請求項４に記載のファーニチャーシステム。
【請求項６】
前記トラックは、所定の位置で間隔を置かれ、かつ前記締結手段と嵌合するように適合されている複数のノッチ部を、さら有する請求項１〜５のいずれか１項に記載のファーニチャーシステム。
【請求項７】
前記第１パネルの前記トラックにおける前記ノッチ部の位置は、対向する前記第２パネルの前記トラックにおける前記ノッチ部の位置と、対応している請求項６に記載のファーニチャーシステム。
【請求項８】
前記締結手段は、解除可能ラッチ、レバーロック、スタッド、突起部、スナップあるいはクリップフィット装置からなるグループから選択される、いずれか１つである請求項１〜７のいずれか１項に記載のファーニチャーシステム。
【請求項９】
前記展示および保管手段は、クロスバー、棚からなるグループから選択される、いずれか１つである請求項１〜８のいずれか１項に記載のファーニチャーシステム。
【請求項１０】
前記展示あるいは保管手段は、前記締結手段と一体となっている請求項１〜９のいずれか１項に記載のファーニチャーシステム。
【請求項１１】
前記パネルは、中空キャビティを有する請求項１〜１０のいずれか１項に記載のファーニチャーシステム。
【請求項１２】
前記パネルの前記中空キャビティは、照明装置を収容している請求項１１に記載のファーニチャーシステム。
【請求項１３】
前記パネルの前記中空キャビティは、前記展示あるいは保管手段に配置される製品から製品情報を取得し、かつ、前記製品情報をプロセッサーに転送するための通信装置を、収容している請求項１１項に記載のファーニチャーシステム。
【請求項１４】
展示手段を収容するため、前記パネルの前縁部に配置されるスロットを、さらに有する請求項１〜１３のいずれか１項に記載のファーニチャーシステム。
【請求項１５】
前記パネルの下端部は、基部によって地面に支持されている請求項１〜１４のいずれか１項に記載のファーニチャーシステム。
【請求項１６】
ファーニチャーシステムを組み立てるためのキットであって、
（ａ）少なくとも１つのトラックを有する組立式第１パネルと、前記トラックは、前記第１パネルの表面にあり、かつ、前記パネルの全長にわたっており、
（ｂ）前記トラックの長手方向に沿ってスライドするように適合された組立式展示あるいは保管手段と、
（ｃ）前記トラックに沿った所望の位置で、前記展示あるいは保管手段を固定するための組立式締結手段と、を有し、
そして、前記ファーニチャーシステムを組み立てるための使用説明書をオプションとして有するキット。
【請求項１７】
（ａ）前記第１垂直パネルに対向している組立式第２パネルを、さらに有し、
（ｂ）前記組立式第２パネルは、前記第１パネルに対向する面に、少なくとも１つのトラックを有し、前記トラックは、前記パネルの全長にわたっており、
（ｃ）前記組立式展示あるいは保管手段は、前記第１および第２パネルの間を延長している請求項１６に記載のキット。
【発明の詳細な説明】
【背景技術】
【０００１】
技術分野
商店、自宅、あるいは企業、例えば工業用店において組み立てられることに特に適している、物品を展示および保管するためのファーニチャーシステム。具体的には、本発明は、小売店で販売される商品の展示および保管に適したファーニチャーシステムのためのコンポーネントを提供するモジュール式システムの場合がある。加えて、本発明のシステムは、店で販売される商品の展示および保管に関する商業的利用に理想的に適するカスタマイズ可能および調整可能なファーニチャーのアセンブリーのためのキットの場合がある。
【０００２】
本発明の背景
小売店において販売される衣類および商品は、ラックあるいは棚に展示される。衣類は、壁あるいはスタンドから突き出るアームに支持されて展示される場合がある。衣服は、通常、ハンガーから吊り下げられ、そして、それは、アームから吊り下げられる。アームは、直線状のポールからなり、あるいは、ハンガーおよび衣服に間隔を置くための仕切りを備えており、全ての衣服が可視であることを確実にしている。アームは、略水平あるいは所定の角度で突出しており、アームで支持された衣服の全ては、背後も含め、見ることが可能である。
【０００３】
店において、展示される衣服の種類を変更する必要がある場合、あるいは、展示のレイアウト配置を変更する必要がある場合、アームあるいは棚は、壁あるいはスタンドから除去され、必要なタイプ、すなわち、水平あるいは角度を有する（ａｎｇｌｅｄ）アームが取り付けられる。これは、多大な時間を必要とし、また、必要に応じて、取付けのために保管される多くの異なるアームを有することを、小売店に要求する場合がある。特定の衣服を水平に展示することが最も良いと考えて、そして、一旦、アームを変更し、衣服を吊り下げると、角度を有するアームが、より良いと理解される場合がある。その結果、衣服は、取り外されることを必要とし、そして、アームは再び変更される。
【０００４】
したがって、本発明の目的は、現行のシステムに関連する問題を少なくとも部分的に軽減するファーニチャーシステムを提供することである。
【発明の概要】
【０００５】
本発明の要旨
本発明の第１の様相において、（ａ）少なくとも１つのトラックを有する第１パネルと、前記トラックは、前記第１パネルの表面にあり、かつ、前記パネルの全長にわたっており、（ｂ）前記トラックの長手方向に沿ってスライドするように適合された展示あるいは保管手段と、（ｃ）前記トラックに沿った所望の位置で、前記展示あるいは保管手段を固定するための締結手段と、を有するモジュール式のファーニチャーシステムが提供される。
【０００６】
好ましくは、請求項１に係るシステムは、（ａ）前記第１パネルに対向している第２パネルをさらに有し、（ｂ）前記第２パネルは、前記第１パネルの前記トラックに対向する面に、少なくとも１つのトラックを有し、前記トラックは、前記パネルの全長にわたっており、（ｃ）前記展示あるいは保管手段は、前記第１および第２パネルの間を延長している。
【０００７】
好ましくは、前記第１および第２パネルは、互いに対向する面に複数のトラックをさらに有し、前記複数のトラックの各々は、少なくとも１つの展示あるいは保管手段を収容するように適合されており、前記展示あるいは保管手段は、前記トラックの長手方向に沿ってスライドするように適合されている。
【０００８】
好ましくは、前記第１および第２パネルの各々は、３つのトラックを有し、前記第１パネルの前記トラックの位置は、対向する前記第２パネルの前記トラックの位置と対応している。
【０００９】
好ましくは、前記トラックの１つは、前記パネルの中央部に位置決めされ、前記トラックの１つは、前記パネルの前縁部に近接して位置決めされ、前記トラックの１つは、前記パネルの後縁部に近接して位置決めされている
好ましくは、前記トラックは、所定の位置で間隔を置かれ、かつ、前記締結手段と嵌合するように適合されている複数のノッチ部を、さら有する。前記第１パネルの前記トラックにおける前記ノッチ部は、対向する前記第２パネルの前記トラックにおける前記ノッチ部の位置と対応している。
【００１０】
好ましくは、前記締結手段は、解除可能ラッチ、レバーロック、スタッド、突起部、スナップあるいはクリップフィット装置（ｓｎａｐ  ｏｒ  ｃｌｉｐ  ｆｉｔ  ａｒｒａｎｇｅｍｅｎｔ）からなるグループから選択される、いずれか１つである。
【００１１】
好ましくは、前記展示および保管手段は、クロスバー、棚からなるグループから選択される、いずれか１つである。
【００１２】
好ましくは、前記展示あるいは保管手段は、前記締結手段と一体となっており、すなわち、それら両方は、互いに嵌合するように適合され、あるいは、単一の物品となるように形成されている。
【００１３】
好ましくは、前記パネルは、中空キャビティを有する。より好ましくは、前記パネルの前記中空キャビティは、照明装置を収容している。あるいは、前記パネルの前記中空キャビティは、前記展示あるいは保管手段に配置される製品から製品情報を取得し、かつ、前記製品情報をプロセッサーに転送するための通信装置を、収容している。この種の通信装置は、展示あるいは保管手段に配置される製品から、製品情報を取得するネットワークの一部であってもよい任意の装置を、含むことが可能である。例えば、装置は、製品に配置されるセンサーによって提供されるデータを、取得することが可能であり、展示あるいは保管手段に配置される製品の補充が必要かどうかを、ネットワークが決定することが可能である。加えてあるいは代替として、通信装置は、任意のセンサーであってもよくて、当該センサーは、展示あるいは保管手段の近傍の顧客の存在および／又は通行量（例えば、センサーが熱センサーである場合）等の情報を取得し、そして、その情報を処理して分析するため、プロセッサーに送信することが可能である。この種の通信装置は、撮像装置を含むことも可能である。全ての通信装置デバイスは、有線あるいは無線（例えば、Ｗｉｆｉ（登録商標）、Ｂｌｕｅｔｏｏｔｈ（登録商標）等）によって、プロセッサーに情報を伝えることも可能である。
【００１４】
好ましくは、前記パネルは、展示手段を収容するため、前記パネルの前縁部に配置されるスロットを、さらに有する。
【００１５】
好ましくは、前記パネルの下端部は、基部によって地面に支持されている。
【００１６】
本発明の第２の様相において、ファーニチャーシステムを組み立てるためのキットが提供され、当該キットは、（ａ）少なくとも１つのトラックを有する組立式第１パネルと、前記トラックは、前記第１パネルの表面にあり、かつ、前記パネルの全長にわたっており、（ｂ）前記トラックの長手方向に沿ってスライドするように適合された組立式展示あるいは保管手段と、（ｃ）前記トラックに沿った所望の位置で、前記展示あるいは保管手段を固定するための組立式締結手段と、を有し、そして、前記ファーニチャーシステムを組み立てるための使用説明書をオプションとして有する。
【００１７】
好ましくは、前記キットは、（ａ）前記第１パネルに対向している組立式第２パネルを、さらに有し、（ｂ前記組立式第２パネルは、前記第１垂直パネルに対向する面に、少なくとも１つのトラックを有し、前記トラックは、前記パネルの全長にわたっており、（ｃ）前記組立式展示あるいは保管手段は、前記第１および第２パネルの間を延長している。
【００１８】
有利には、本発明は、店あるいはオフィスにおいて、複雑な部品を用いずに、展示あるいは製品を保管するために、迅速かつ容易にファーニチャーをアレンジすることを可能とするモジュール式のファーニチャーシステムを提供する。このように、モジュール式システムであるため、空間のデザインにおける柔軟性を可能にし、また、縦型自立構造（ｖｅｒｔｉｃａｌ  ｆｒｅｅ−ｓｔａｎｄｉｎｇ）のシステムであるため、支持のための如何なる壁の使用を必要としない。
【図面の簡単な説明】
【００１９】
【図１】本発明の実施の形態に係るセットアップされたファーニチャーシステムの斜視図である。
【図２】本発明の実施の形態に係るパネルの斜視図である。
【図３Ａ】本発明の多様な実施の形態に係るパネルの断面図である。
【図３Ｂ】本発明の多様な実施の形態に係るパネルの断面図である。
【図４】本発明の実施の形態に係るパネルの斜視図である。
【図５】本発明の実施の形態に係る展示あるいは保管手段の斜視図である。
【図６Ａ】本発明の実施の形態に係る締結手段の一例の斜視図である。
【図６Ｂ】本発明の実施の形態に係る締結手段の一例の斜視図である。
【図６Ｃ】本発明の実施の形態に係る締結手段の一例の斜視図である。
【図６Ｄ】本発明の実施の形態に係る締結手段の一例の斜視図である。
【図６Ｅ】本発明の実施の形態に係る締結手段の一例の斜視図である。
【図６Ｆ】本発明の実施の形態に係る締結手段の一例の斜視図である。
【発明を実施するための形態】
【００２０】
図面の簡単な説明
本発明を完全に理解し、そして、容易に実用的に実施することを可能とするため、非制限的な一例として、本発明の好ましい実施の形態が記載されており、そして、説明は、添付される実例となる図面に関する。
【００２１】
添付図面において、
図１は、本発明の実施の形態に係るセットアップされたファーニチャーシステムの斜視図、
図２は、本発明の実施の形態に係るパネルの斜視図、
図３Ａおよび図３Ｂは、本発明の多様な実施の形態に係るパネルの断面図、
図４は、本発明の実施の形態に係るパネルの斜視図、
図５は、本発明の実施の形態に係る展示あるいは保管手段の斜視図、および、
図６Ａ〜図６Ｆは、本発明の実施の形態に係る締結手段の多様な一例の斜視図である。
【００２２】
好ましい実施の形態の詳細な説明
図１は、本発明の実施の形態を示している。特に、それは、本発明の実施の形態に係るモジュール式のファーニチャーシステムのセットアップを示している。
【００２３】
本発明の最も単純な形態において、モジュール式のファーニチャーシステムは、第１パネル５を有する。本発明の一例において、図に示されるように、パネル５は、垂直とすることも可能である。説明の容易さのために、パネルは、垂直パネルとして記載される。しかし、これらのパネルは、任意の方向に配向させることが可能である。垂直パネル５は、上端部１０および下端部１５を有する。垂直パネル５の一方の表面に、パネル５の全長にわたる（ｒｕｎｎｉｎｇ  ｔｈｅ  ｌｅｎｇｔｈ  ｏｆ）少なくとも１つの垂直トラック２０が、存在する。例えば、図に示されるように、トラック２０は、パネル１０の上部からパネル１５の下部まで続いている。図１において、３つの垂直トラック２０が示されている。これらのトラックは、後で詳述される。しかし、なお、本発明は、１つのトラック２０のみを必要とすることが可能である。展示あるいは保管手段２５は、垂直トラック２０の長手方向に沿って（ａｌｏｎｇ  ｔｈｅ  ｌｅｎｇｔｈ  ｏｆ）スライドするように適合されている。締結手段３０は、トラック２０に沿った所望の位置で、展示あるいは保管手段２５を締結して固定する任意の手段とすることが可能である。締結手段３０のさまざまな具体例は、後述される。
【００２４】
「ファーニチャー」は、着席すること、眠ること、作業すること、販売用あるいは販売用ではない製品のアイテムを展示および／又は保管すること等の多様な人間の活動をサポートすることを目的とする任意の物体を、含むように意図している。ファーニチャーはまた、（地面より上側の水平面である）作業のための便利な高さで物体を保持するため、あるいは、物を保管するために使用される。
【００２５】
「パネル」は、押し出しプロセスによって製造することが可能である材料からなる任意のピースを含むように意図している。この種のパネルは、一般的には、任意の所望のサイズの長方形ブロックに成形され、かつ、それに配置される任意の物品の重さを支持するために構造的に強い材料から形成される。好ましくは、パネルは、垂直、水平あるいは斜めに配置される。
【００２６】
「展示あるいは保管手段」は、販売用あるいは販売用ではない任意の物品あるいは製品の展示、配置および保管を可能にする任意の手段を含むように意図している。この種の手段は、例えば、棚、ハンガーに吊り下げられる衣服を吊り下げるためのクロスバー等の装備品（ｆｉｘｔｕｒｅ）を含むことが可能である。「棚」は、製品を配置するため、あるいはテーブルのような作業ステーションとして使用される任意の面も含んでいる。「装備品」は、常置あるいは一時的である任意の物を含むように意図している。例えば、本発明において、展示あるいは保管手段の配置（高さを含む）は、調整でき、そして、パネルのトラック２０に沿って移動させ、トラック２０に沿った任意の位置で固定することが可能である。加えて、用語「展示あるいは保管手段」はまた、グラフィックス、写真、（例えば、製品情報や値札等の「購買資材の要点」のための）情報等のための任意のボードも含んでいる。これらのボードは、展示あるいは保管手段に配置される製品の販売のためのキャンペーンの「ムード」あるいはテーマに貢献するグラフィックスを含むことが可能である。
【００２７】
「トラック」は、切断によりパネル５，５ａの表面に位置し、連続的であり、パネル５、５の全長にわたって延長しており、展示あるいは保管手段２５がトラックの長手方向に沿ってスライドすることを可能としている任意の幅狭のストリップあるいは溝（ｃｏｎｄｕｉｔ）を含むことを意図している。あるいは、トラックは、任意の適当な長さあるいはセクションにおいて、パネル５，５ａの長手方向に沿って折られることが可能である。
【００２８】
本発明の別の実施の形態において、第１垂直パネル５の反対側には、第２垂直パネル５ａが配置されている。第２垂直パネル５ａは、機能に関して第１垂直パネル５と類似あるいは同一とすることも可能である。第１垂直パネル５のように、第２垂直パネル５ａは、上端部１０および下端部１５を有する。
【００２９】
第２垂直パネル５ａもまた、第１垂直パネル５に対向する（あるいは相対する）面に配置される少なくとも１つの垂直トラック２０を有し、トラック２０は、パネル１０の上部からパネル１５の下部まで延長している。展示あるいは保管手段２５は、第１垂直パネル５および第２垂直パネル５ａの間を延長している。
【００３０】
「延長している」は、展示あるいは保管手段２５の長さが、第１垂直パネル５と第２垂直パネル５ａとの間の長さあるいは距離の間を延長していることを意図している。それはまた、第１垂直パネル５と第２垂直パネル５ａとの間の全ての長さあるいは距離を延長してない任意の展示あるいは保管手段２５を含むことを意図している。展示あるいは保管手段２５の長さは、第１垂直パネル５と第２垂直パネル５ａとの間の長さあるいは距離より短い場合もあり、すなわち、第１垂直パネル５と第２垂直パネル５ａとの間の長さあるいは距離の一部を延長している。
【００３１】
図２および図３Ａは、垂直パネル５および５ａの斜視図および断面図を示している。図３Ｂは、別の実施の形態のパネル５，５ａの断面図を示している。図３Ａおよび図３Ｂに示される実施の形態の２つの重要な差異は、円形トラック２０ａ，ｂ，ｃおよびブラケット７５である。円形トラック２０ａ，ｂ，ｃは、トラックの長手方向に沿って移動する場合、締結手段３０の円形輪郭に対応するように設計されている。ブラケット７５は、所望により別の電線を有する照明機構７０（例えばＬＥＤストリップ）を収容するために使用される。これらの実施の形態の詳細について以下で説明する。
【００３２】
上述および図に示されるように、本発明の実施の形態は、第１垂直パネル５と第２垂直パネル５ａの各々に配置される３つのトラック２０ａ，ｂ，ｃを有することを含んでいる。有利には、パネル５，５ａの側面に３つのトラックを有することは、製品および／又はグラフィックスおよびイメージを展示する場合、「階層化」効果を可能にする。例えば、視覚的に魅力的である環境を、製品を購入する顧客あるいは消費者を引きつけるために、製品のために形成することが可能である。前方のトラック２０ａは、その価格を含む製品に関する情報を展示するサイネージボードを収容することが可能である。中央のトラック２０ｂは、消費者に製品を展示する展示あるいは保管手段２５を、収容することが可能である。後方のトラック２０ｃは、製品を販売することに目標が定められる広告キャンペーンの基調を設定することができる「ムードグラフィック」を収容することが可能である。この「ムードグラフィック」は、販売されている製品（展示あるいは保管手段２５に配置される）のブランドおよび広告キャンペーンと合致する任意のイメージ、あるいはべた一色（ｐｌａｉｎ  ｓｏｌｉｄ  ｃｏｌｏｕｒ）を含むことが可能である。これらの３つの要素は、ビジュアルマーチャンダイジングに貢献する。それでもやはり、これらのトラック２０ａ，ｂ，ｃは、上記の３つの要素のいずれか１つを収容するために交換して使用し、製品を販売する場合において柔軟性を独創性に提供することが可能である。トラック２０ａ，ｂ，ｃを分離している幅あるいは距離は、視覚的に魅力的な環境の形成において望ましい任意の距離とすることが可能である。
【００３３】
図３Ａに示されるように、垂直パネル５，５ａの断面図において、垂直パネル５，５ａが４つの縁部（２つの前縁部３５および２つの後縁部４０）を有していることが分かる。したがって、それは、前面４５、後面５０および２つの側面５５を有する結果となる。説明の容易のために、パネルは、前側および後側を有するように記載されている。しかし、これらの説明は、パネルの方位（ｏｒｉｅｎｔａｔｉｏｎ）に最終的に依存すると理解され、そして、これらの用語は、交換して使用することが可能である。トラック２０は、垂直パネル５，５ａの両方の側面５５に位置決めされる。側面５５は、前後の面４５、５０より大きい表面積を有する。３つのトラック２０が存在する実施の形態において、トラックの１つは、パネル２０ａの中央に位置決めされ、トラックの１つは、パネル２０ｂの前縁部に近接して位置決めされ、トラックの１つは、パネル２０ｃの後縁部に近接して位置決めされる。第１垂直パネル５におけるトラック２０の位置は、対向する第２垂直パネルにおけるトラック２０の位置と対応している。
【００３４】
本発明の実施の形態において、垂直パネル５，５ａの両方の側面５５に、トラック２０が存在する。図３Ａに示されるように、同一のパネル５の側面５５の両方に配置されるトラック２０の位置および場所は、互いに同一とすることも可能である。図３Ｂは垂直パネル５，５ａの別の一例を示している。図３Ａに示される垂直パネル５，５ａの角張ったトラック２０と異なり、図３Ｂのトラック２０の断面は、丸みを帯びており、あるいは、形状が円形である。図４は、垂直パネル５，５ａの側面５５の斜視図を示している。それは、各トラック２０に沿って、ひと続きあるいは複数のノッチ部６０が存在することを示しており、これらは、所定の位置で間隔を置かれており、かつ、締結手段３０と嵌合するのに適合されている。第１垂直パネル５のトラック２０のノッチ部６０は、対向する第２垂直パネル５ａのトラック２０上のノッチ部６０の位置と対応している。
【００３５】
「ノッチ部」は、トラック２０の長手方向に沿った任意の位置にあるトラック２０上の任意の小さいカット、カットアウトあるいはマーキングを含むことを意図している。第１パネル５におけるノッチ部６０の位置を、対向する第２パネル５ａにおけるノッチ部６０の同一の位置と対応させることによって、これらのノッチ部６０は、マーカーして機能し、したがって、第１垂直パネル５と第２垂直パネル５ａとの間を延長している展示あるいは保管手段は、地面に対して水平に（ｌｅｖｅｌ  ｔｏ）位置合せすることが可能である。本発明の実施の形態において、ノッチ部６０は、トラック２０に沿ったカットアウトであり、トラック２０と重なり合っている円のように成形されていることが、図４において理解することが可能である。
【００３６】
図４、図６Ａ〜図６Ｆは、締結手段３０のさまざまな一例を示している。これらは、解除可能ラッチ、レバーロック、スタッド、突起部、スナップあるいはクリップフィット装置からなるグループから選択される、いずれか１つを含んでいる。締結手段３０は、トラック２０の長手方向の一端からトラック２０に挿入することが可能である。これによって、締結手段３０がトラック２０の長手方向の沿った任意の位置にスライドすることが可能となる。解除可能ラッチは、摩擦力によって締結手段をトラック２０上に留まらせることを可能とする任意のバイアス手段を、含むことが可能である。図６Ａおよび図６Ｂは、締結手段３０としてのレバーロックの一例を示している。レバーロックは、トラックと嵌合する縦ロッド２６と、ネック部２４を中心として旋回し、ネック部がトラック２０上のグリップ部を締めるあるいは弛めることを可能とするレバー２２と、を有する。レバー２２は、ロック機構として機能する。ロッド２６は、締結手段３０がトラック２０の長手方向に沿ってスライドすることを許容する限り、ロッド２６は任意の形状とすることが可能である。本ケースの場合、ロッド２６は、形状が円筒状であり、図３Ａおよび図３Ｂに示されるように、パネル５，５ａのトラック２０と嵌合することが可能である。有利には、締結手段３０の円筒形状ロッド２６と円形トラック２０との嵌合は、２つの面の間に、より少ない摩擦が生じるため、トラック２０に沿った締結手段３０の円滑なスライドを可能にする。加えて、ロッド２６の一端２８を丸くすることによって、トラック２０に対する締結手段３０の容易な挿入が可能となる。あるいは、ロッド２６の両端を丸くすることによって、ロッド２６がいずれの方向に移動する場合における摩擦を削減することが可能である。
【００３７】
図６Ｃは、スナップあるいはクリップフィット装置として有する締結手段３０の別の一例を示している。図６Ａに示される締結手段３０と同様に、締結手段３０は、パネル５，５ａのトラック２０に沿って嵌合およびスライドするロッド３２を有する。ロッド３２は、トラック２０に対する容易な挿入のために、丸くされた２つの端部３４を有する。前と同じように、ロッド３２は、トラック２０との容易な嵌合のため、任意の形状あるいは構成に形成することが可能である。バイアス手段３６は、締結手段３０のロック位置において偏向している。図に示される矢印の方向にタブ３８を持ち上げることによって、締結手段３０は、非ロック位置になり、トラック２０の長手方向に沿った任意の位置にスライドすることが可能である。スタッド３９は、締結および／又は位置決めのために、トラック２０のノッチ部６０と嵌合することが可能である。
【００３８】
図６Ｅおよび図６Ｆに示されるように、締結手段３０は、展示あるいは保管手段２５と嵌合し、トラック２０に沿った所定の位置に、展示あるいは保管手段２５をロックするように適合されている。締結手段３０は、溶接あるいは当業者によって知られている任意の手段によって、展示あるいは保管手段２５に取り付けることが可能である。図６Ｅにおいて、展示あるいは保管手段２５は、２つの締結手段３０（この例ではレバーロックである）を必要とする棚あるいはテーブル面とすることも可能である。締結手段３０は、複数のトラック（例えば、図６Ｅに示される２つのトラック２０）上の同じ水準あるいは平面に、位置決めされ、そして、展示あるいは保管手段２５と機械的に嵌合し、展示あるいは保管手段２５を固定することが可能である。図６Ｆにおいて、展示あるいは保管手段２５は、クロスバーである。クロスバーは、ハンガーに吊り下げられる衣服を展示あるいは保管するために使用することが可能である。図５において、展示あるいは保管手段２５は、クロスバーと、ハンガーに吊り下げられる衣服を展示あるいは保管するため、クロスバーに対して垂直に取り付けられるさらなるバーと、を有することが可能である。当然ながら、本発明は、衣服を展示あるいは保管することのみに限定されず、展示あるいは保管のための任意の製品あるいは品目を吊り下げることを含むことが可能である。
【００３９】
本発明の実施の形態において、展示あるいは保管手段２５は、締結手段３０と一体化、すなわち、それらの両方が互いに嵌合するように、あるいは単一の物品に形成されるように適合されている。これは、締結手段３０が展示あるいは保管手段２５（この場合はクロスバー）と一体的である図６Ｂにおいて、理解することが可能である。
【００４０】
垂直パネル５，５ａの断面を示す図３に戻り、パネルがキャビティあるいは中空部６５を有することを理解することが可能である。本発明の実施の形態において、パネル５，５ａの内側は、複数のセクションに分割されており、各セクションは、中空部６５の内部を意味している（ｒｅｐｒｅｓｅｎｔ）。本発明の実施の形態において、中空部６５の内部は、照明装置、例えば、電球、ライトチューブ、ＬＥＤチューブ等を収容することが可能である。中空キャビティのタブ６２（図３Ｂに示されるように）は、照明装置の容易な配置を可能とする。
【００４１】
別の実施の形態において、中空キャビティ６５は、電源ケーブル、電話線、ケーブルテレビあるいはブロードバンドインターネットアクセスを提供するためのケーブル等のユーティリティーケーブルを収容するために適合させることが可能である。加えて、中空キャビティ６５は、水および空気をパイプ輸送するための配管インフラ基盤を含むことが可能である。この種のユーティリティーケーブルおよびパイプに対するアクセスを許容するため、パネル５，５ａの長手方向に沿った任意の適当なカットアウトが、存在することも可能である。本発明のさらなる実施の形態において、パネル５，５ａは、建物の居住者に対して、ユーティリティーケーブル、水および空気を提供することができる建物の構造壁あるいは構造壁の一部とすることが可能である。
【００４２】
上記に加えて、あるいは本発明の別の実施の形態において、垂直パネル５，５ａの中空キャビティ６５は、展示あるいは保管手段２５に配置される製品から製品情報を取得し、当該情報をプロセッサーに転送するため、通信装置を収容している。製品情報に基づいている（ｒｅｌｙｉｎｇ）この種のシステムは、展示あるいは保管手段に配置される製品の在庫調べ（ｉｎｖｅｎｔｏｒｙ）に有用である。
【００４３】
図３Ａおよび図３Ｂに関し、前縁部３５および後縁部４０は、面４５，５０，５５がボードのような展示手段を収容できるように、フランジ（ブラケット）を有することが可能である。この種の表示ボードは、垂直パネル５，５ａの側面を装飾するために使用することが可能である。ボードのような展示手段が、広告、製品情報の展示として使用され、および／又は、店の美観およびブランド化に貢献している小売店において、これは特に有用である。
【００４４】
パネル５，５ａは、不透明あるいは不透明ではない任意の耐久性を有する材料から構成することが可能である。例えば、展示あるいは保管手段２５が棚あるいはクロスバーである実施の形態においては、パネル５，５ａは、１．２ｍの棚に配置された、あるいは１．２ｍのクロスバーに吊り下げられた約１５０ｋｇの重さを支持することが可能である。パネルが不透明ではない材料から形成される場合においては、中空部６５の内部からの光は、パネルの外側あるいは周囲から視認することが可能である。したがって、光は、上記した展示手段ボードを照明するために使用することが可能である。本発明の実施の形態において、展示手段ボードは、ポリカーボネートあるいはアクリルシート等の任意の不透明ではない材料から形成することが可能である。照明が不要である場合、ボードは、例えば、ラミネート、ＰＶＣ、革、織物、木材、発泡体等の材料から形成される不透明体とすることも可能である。パネル５，５ａは、任意の適当な色あるいはラミネートからなることも可能である。光がパネルの外側からどのように視認されるかの一例が、図１の外観（ｆｅａｔｕｒｅ）７０として示されている。パネル５，５ａの中空部６５の内部の照明装置からの光が、パネル５の側面５５から放射されていることを視認することが可能である。
【００４５】
垂直パネル５，５ａの下端部１５は、基部によって地面に支持されることが可能である。あるいは、第１垂直パネル５および第２垂直パネル５ａは、水平パネル（垂直パネル５，５ａと同一の技術的特徴を有するが、水平に配置される）と連結され、フレームあるいはフレームの一部を形成することが可能である。任意の適当な数のジョイント（あるいはコネクター）は、パネル５，５ａを連結してフレームを形成するために使用することが可能である。
【００４６】
最後に、本発明はまた、図１に示されるように、ファーニチャーシステムを組み立てるためのキットを提供し、当該キットは、上記した全てのコンポーネントを有する。具体的には、パネル５の表面にあり、かつ、パネル１０の上部からパネル１５の下部まで延長している少なくとも１つの垂直トラック２０を有する組立式第１垂直パネル５と、トラック２０の長手方向に沿ってスライドするように適合されている組立式展示あるいは保管手段２５と、トラック２０に沿った所望の位置で、展示あるいは保管手段２５を固定するための組立式締結手段３０と、ファーニチャーシステムを組み立てるための使用説明書と、を有する。
【００４７】
上記に加えて、本発明の実施の形態においては、キットは、第１垂直パネル５に対向している組立式第２垂直パネル５ａを、さらに有しており、組立式第２垂直パネル５ａは、第１垂直パネル５に対向する面に、少なくとも１つの垂直トラック２０を有しており、トラック２０は、パネル１０の上部からパネル１５の下部まで延長しており、組立式展示あるいは保管手段２５は、第１および第２垂直パネルの間を延長している。
【００４８】
上述の説明において、本発明の好ましい実施の形態が説明されている一方、当業者によって、デザインあるいは構造の詳細における多くの変形あるいは改変が、本発明から逸脱することなく為すことが可能であることは、理解されるだろう。
【図１】
2017506567.tif 000003
【図２】
2017506567.tif 000004
【図３Ａ】
2017506567.tif 000005
【図３Ｂ】
2017506567.tif 000006
【図４】
2017506567.tif 000007
【図５】
2017506567.tif 000008
【図６Ａ】
2017506567.tif 000009
【図６Ｂ】
2017506567.tif 000010
【図６Ｃ】
2017506567.tif 000011
【図６Ｄ】
2017506567.tif 000012
【図６Ｅ】
2017506567.tif 000013
【図６Ｆ】
2017506567.tif 000014
【国際調査報告】
2017506567.tif 000015
2017506567.tif 000016